(57)【要約】【課題】移動端末の発呼時に、移動径路上のすべての通信リソースを先取りして予約する通信リソース予約システムを提供する。【解決手段】発呼時に、移動端末１が現在地と目的地とを位置情報通知信号として交換機３に通知すると、通信リソース予約装置３０にて、現在地から目的地までの移動径路１１を移動径路検索部３０１で検索し、移動径路１１上に存在する通信セル２１１、２２１、２３１を、通信セル構成データ部３０２に格納された各通信セルの配置構成から検出して、該当する通信セルそれぞれを有する各無線基地局２１、２２、２３の通信リソースを予約捕捉すると共に、記憶手段３２に当該移動端末１をユニークに特定可能な端末ＩＤに記憶する。交換機３が移動端末１からハンドオーバ実行要求を受け取ると、発呼時に通信リソースを予約捕捉した端末であれば、予約捕捉した通信リソースを割り当て、予約捕捉状態から通信状態に切り替える。【選択図】        図１
2007251644.tif 000002
【特許請求の範囲】
【請求項１】
移動端末と、該移動端末と無線回線を介して接続する無線基地局と、該無線基地局の接続を制御する交換機とを含んで構成される移動無線通信網における通信リソースを予約する通信リソース予約システムにおいて、前記交換機内にまたは前記交換機と外部接続する通信リソース予約装置を備え、前記移動端末が、発呼時に、当該移動端末の現在地と目的地とを位置情報通知信号として、前記交換機に通知することにより、前記交換機が、前記通信リソース予約装置により、前記現在地から前記目的地まで移動する移動径路上に存在する通信セルそれぞれを有する各無線基地局の通信リソースを予約捕捉することを特徴とする通信リソース予約システム。
【請求項２】
前記通信リソース予約装置は、任意に指定された２地点間の移動径路を検索する移動径路検索手段と、各無線基地局の通信セルの配置構成を格納する通信セル構成データ格納手段とを少なくとも備え、前記交換機から前記位置情報通知信号を受け取った際に、前記移動端末の現在地から目的地に至るまでに存在する通信セルそれぞれを有する各無線基地局の通信リソースを予約することを特徴とする請求項１に記載の通信リソース予約システム。
【請求項３】
前記交換機は、前記移動端末から、通信セルを跨って移動する際のハンドオーバ実行要求を受け取った際に、当該移動端末が、発呼時に、移動径路上の各無線基地局の通信リソースを予約捕捉した移動端末か否かを調べ、予約捕捉した移動端末に該当している場合、予約捕捉していた通信リソースを当該移動端末に割り当てて、予約捕捉状態から通信状態に切り替えることを特徴とする請求項１または２に記載の通信リソース予約システム。
【請求項４】
前記移動端末が、発呼時に、前記交換機に対して前記位置情報通知信号を送信する時点が、発呼信号の送信前、または、発呼信号の送信後、のいずれでも良いことを特徴とする請求項１ないし３のいずれかに記載の通信リソース予約システム。
【請求項５】
任意に指定された２地点間の移動径路を検索する移動径路検索手段と、各無線基地局の通信セルの配置構成を格納する通信セル構成データ格納手段とを少なくとも備え、移動中の移動端末の現在地と目的地とを示す位置情報通知信号を交換機から受け取った際に、前記移動端末の現在地から目的地に至るまでに存在する通信セルそれぞれを有する各無線基地局の通信リソースを予約することを特徴とする通信リソース予約装置。
【請求項６】
当該通信リソース予約装置が、前記交換機内に設置されるか、または、前記交換機と直接接続して配置されるか、前記交換機とネットワークを介して接続されるように配置されるかのいずれかであることを特徴とする請求項５に記載の通信リソース予約装置。
【請求項７】
発呼時に、当該移動端末の現在地と目的地との位置情報を位置情報通知信号として、前記交換機に通知することを特徴とする移動端末。
【請求項８】
当該移動端末の現在地を取得するＧＰＳ（Global Positioning System）手段とユーザから目的地を入力させる手段とを備えていることを特徴とする請求項７に記載の移動端末。
【請求項９】
発呼時に、前記交換機に対して前記位置情報通知信号を送信する時点が、発呼信号の送信前、または、発呼信号の送信後、のいずれでも良いことを特徴とする請求項７または８に記載の移動端末。
【請求項１０】
移動端末と、該移動端末と無線回線を介して接続する無線基地局と、該無線基地局の接続を制御する交換機とを含んで構成される移動無線通信網における通信リソースを予約する通信リソース予約方法において、前記移動端末が、発呼時に、当該移動端末の現在地と目的地とを位置情報通知信号として、前記交換機に通知することにより、前記交換機が、前記現在地から前記目的地まで移動する移動径路上に存在する通信セルそれぞれを有する各無線基地局の通信リソースを予約捕捉することを特徴とする通信リソース予約方法。
【請求項１１】
前記交換機は、前記移動端末から、通信セルを跨って移動する際にハンドオーバ実行要求を受け取った際に、当該移動端末が、発呼時に、移動径路上の各無線基地局の通信リソースを予約捕捉した端末か否かを調べ、予約捕捉した移動端末に該当している場合、予約捕捉していた通信リソースを当該移動端末に割り当てて、予約捕捉状態から通信状態に切り替えることを特徴とする請求項１０に記載の通信リソース予約方法。
【請求項１２】
前記移動端末が、発呼時に、前記交換機に対して前記位置情報通知信号を送信する時点が、発呼信号の送信前、または、発呼信号の送信後、のいずれでも良いことを特徴とする請求項１０または１１に記載の通信リソース予約方法。
【請求項１３】
請求項１０ないし１２のいずれかに記載の通信リソース予約方法を、コンピュータによって実行可能なプログラムとして実現していることを特徴とする通信リソース予約プログラム。
【発明の詳細な説明】
【技術分野】
【０００１】
本発明は、通信リソース予約システム、通信リソース予約装置、移動端末、通信リソース予約方法及びそのプログラムに関する。
【背景技術】
【０００２】
災害発生時等の通信トラヒックが集中している通信エリアにて、移動端末が移動通信を行っている際に、移動先の通信リソースが枯渇している場合に遭遇すると、ハンドオーバ先の通信リソースを確保することができず、緊急連絡の通信を継続できなくなる。かかる事態を防止するための技術として、特許文献１の特開２００４−２２８８８１号公報「移動通信システム、移動予測装置及び切替制御方法」や特許文献２の特開２００４−３０４２９８号公報「通信網におけるリソース予約システム、リソース予約方法及びリソース予約装置」では、径路先を検索しつつ、現在地点からの有効なハンドオーバ先のリソースを順次予約していくという技術や、自分が移動可能なエリアにおけるリソースを順次予約しつつ、ハンドオーバしていくという技術が提案されている。
【特許文献１】特開２００４−２２８８８１号公報（第６−８頁）
【特許文献２】特開２００４−３０４２９８号公報（第１２−１３頁）
【発明の開示】
【発明が解決しようとする課題】
【０００３】
しかしながら、前記特許文献１や前記特許文献２のような従来の技術では、通信トラヒックが集中している通信エリアにて、移動端末が移動していくにつれて、その地点でのハンドオーバ先の通信リソースを順次予約していくというものであるため、災害発生時のように、特定地域の通信負荷がバースト的に急増してしまう場合には、動的に順次予約をしていく方法では、ハンドオーバ先の通信リソースを確保することができず、通信状態を維持できず、呼が切れてしまうという問題がある。
【０００４】
そこで、本発明の目的は、移動端末の現在地から目的地までの移動径路を検索して、該当する移動径路上のすべての通信リソースを先取りして予約することにより、移動端末が予約捕捉を実施した通信セル内に移動した際に、予約していた通信リソースを当該移動端末に割り当てて通信状態に切り替え、当該移動端末の通信を確実に継続させることを可能とすることにある。
【課題を解決するための手段】
【０００５】
前述の課題を解決するため、本発明による通信リソース予約システム、通信リソース予約装置、移動端末、通信リソース予約方法及びそのプログラムは、次のような特徴的な構成を採用している。
【０００６】
（１）移動端末と、該移動端末と無線回線を介して接続する無線基地局と、該無線基地局の接続を制御する交換機とを含んで構成される移動無線通信網における通信リソースを予約する通信リソース予約システムにおいて、前記交換機内にまたは前記交換機と外部接続する通信リソース予約装置を備え、前記移動端末が、発呼時に、当該移動端末の現在地と目的地とを位置情報通知信号として、前記交換機に通知することにより、前記交換機が、前記通信リソース予約装置により、前記現在地から前記目的地まで移動する移動径路上に存在する通信セルそれぞれを有する各無線基地局の通信リソースを予約捕捉する通信リソース予約システム。
（２）前記通信リソース予約装置は、任意に指定された２地点間の移動径路を検索する移動径路検索手段と、各無線基地局の通信セルの配置構成を格納する通信セル構成データ格納手段とを少なくとも備え、前記交換機から前記位置情報通知信号を受け取った際に、前記移動端末の現在地から目的地に至るまでに存在する通信セルそれぞれを有する各無線基地局の通信リソースを予約する上記（１）の通信リソース予約システム。
（３）前記交換機は、前記移動端末から、通信セルを跨って移動する際のハンドオーバ実行要求を受け取った際に、当該移動端末が、発呼時に、移動径路上の各無線基地局の通信リソースを予約捕捉した移動端末か否かを調べ、予約捕捉した移動端末に該当している場合、予約捕捉していた通信リソースを当該移動端末に割り当てて、予約捕捉状態から通信状態に切り替える上記（１）または（２）の通信リソース予約システム。
（４）前記移動端末が、発呼時に、前記交換機に対して前記位置情報通知信号を送信する時点が、発呼信号の送信前、または、発呼信号の送信後、のいずれでも良い上記（１）ないし（３）のいずれかの通信リソース予約システム。
（５）任意に指定された２地点間の移動径路を検索する移動径路検索手段と、各無線基地局の通信セルの配置構成を格納する通信セル構成データ格納手段とを少なくとも備え、移動中の移動端末の現在地と目的地とを示す位置情報通知信号を交換機から受け取った際に、前記移動端末の現在地から目的地に至るまでに存在する通信セルそれぞれを有する各無線基地局の通信リソースを予約する通信リソース予約装置。
（６）当該通信リソース予約装置が、前記交換機内に設置されるか、または、前記交換機と直接接続して配置されるか、前記交換機とネットワークを介して接続されるように配置されるかのいずれかである上記（５）の通信リソース予約装置。
（７）発呼時に、当該移動端末の現在地と目的地との位置情報を位置情報通知信号として、前記交換機に通知する移動端末。
（８）当該移動端末の現在地を取得するＧＰＳ（Global Positioning System）手段とユーザから目的地を入力させる手段とを備えている上記（７）の移動端末。
（９）発呼時に、前記交換機に対して前記位置情報通知信号を送信する時点が、発呼信号の送信前、または、発呼信号の送信後、のいずれでも良い上記（７）または（８）の移動端末。
（１０）移動端末と、該移動端末と無線回線を介して接続する無線基地局と、該無線基地局の接続を制御する交換機とを含んで構成される移動無線通信網における通信リソースを予約する通信リソース予約方法において、前記移動端末が、発呼時に、当該移動端末の現在地と目的地とを位置情報通知信号として、前記交換機に通知することにより、前記交換機が、前記現在地から前記目的地まで移動する移動径路上に存在する通信セルそれぞれを有する各無線基地局の通信リソースを予約捕捉する通信リソース予約方法。
（１１）前記交換機は、前記移動端末から、通信セルを跨って移動する際にハンドオーバ実行要求を受け取った際に、当該移動端末が、発呼時に、移動径路上の各無線基地局の通信リソースを予約捕捉した端末か否かを調べ、予約捕捉した移動端末に該当している場合、予約捕捉していた通信リソースを当該移動端末に割り当てて、予約捕捉状態から通信状態に切り替える上記（１０）の通信リソース予約方法。
（１２）前記移動端末が、発呼時に、前記交換機に対して前記位置情報通知信号を送信する時点が、発呼信号の送信前、または、発呼信号の送信後、のいずれでも良い上記（１０）または（１１）の通信リソース予約方法。
（１３）上記（１０）ないし（１２）のいずれかの通信リソース予約方法を、コンピュータによって実行可能なプログラムとして実現している通信リソース予約プログラム。
【発明の効果】
【０００７】
本発明の通信リソース予約システム、通信リソース予約装置、移動端末、通信リソース予約方法及びそのプログラムによれば、移動端末の目的地までの移動径路上のすべての通信リソースを前もって予約することにより、当該移動端末にとって優先的且つ確実に無線通信を継続させることができる。
【０００８】
また、移動端末が予約捕捉を実施したセル内に移動した際に、前もって予約していた通信リソースを当該移動端末に割り当てて通信状態に切り替えるため、移動の都度発生する可能性がある通信リソースの検索処理が省略され、移動時における通信リソースの捕捉処理が簡略化されるとともに、通信状態に迅速に切り替えることができる。
【０００９】
例えば、救急車、消防車などの緊急車両に移動端末を搭載し、移動径路検索にて予約捕捉を実行することによって、災害などで通信トラヒックが集中している通信エリアに移動した際にも、確実に無線通信状態を確保できる。すなわち、救急車であれば、移動中の病院との無線通信を、消防車であれば、移動中の災害報告の通信を、確実に継続することができる。
【発明を実施するための最良の形態】
【００１０】
以下、本発明による通信リソース予約システム、通信リソース予約装置、移動端末、通信リソース予約方法及びそのプログラムの好適実施形態例について添付図を参照して説明する。まず、本発明の特徴について、その概要を説明する。
【００１１】
［発明の特徴］
本発明は、移動中の移動端末による通信呼の移動径路をあらかじめ予測し、移動径路上にある通信リソースすべてを事前に予約することにより、当該移動端末に対して優先的且つ確実な移動通信の継続を可能ならしめる点に、その特徴を有している。
【００１２】
［実施例の構成］
次に、本発明の通信リソース予約システムのシステム構成について、その一例を、図１を用いて説明する。図１は、本発明の通信リソース予約システムのシステム構成の一例を示すシステム構成図である。図１の通信リソース予約システム１００は、移動端末１、移動端末１の移動径路１１上に存在する通信エリア（セル）２１１、２２１、２３１それぞれを有している無線基地局２１、２２、２３、通信リソース予約装置３０を内蔵する交換機３を含んで構成されている。なお、通信リソース予約装置３０は、交換機３に内蔵されることなく、交換機３に外付けして直接接続する形式としても良いし、あるいは、各交換機３とネットワーク接続された独立配置の装置として構成するようにしても良い。本実施例においては、前述のように、通信リソース予約装置３０は、交換機３に内蔵されているものとして説明する。
【００１３】
移動端末１は、携帯電話、ＰＨＳ（Personal Handy-Phone System）、ＰＤＡ（Personal Digital Assistants）、ノートＰＣなどの移動可能な通信端末であり、現在位置を検出するＧＰＳ（Global Positioning System）機能と、移動先を示す目的地を入力する入力機能と、発呼時に現在地と目的地とを位置情報通知信号として交換機３へ通知する機能と、を搭載している。移動端末１は、現在、無線基地局２１の通信セル２１１のエリア内に存在しており、無線基地局２３の通信セル２３１のエリアに向かって、移動中にあるものとする。すなわち、移動径路１１に示すように、移動端末１は、現在地の無線基地局２１の通信セル２１１のエリア内から無線基地局２２の通信セル２２１を介して目的地の無線基地局２３の通信セル２３１のエリア内の位置まで移動する途中にある。
【００１４】
無線基地局２１、２２、２３は、交換機３の制御下にあり、移動端末１に無線通信を提供する基地局であり、それぞれの通信セル２１１、２２１、２３１が、移動端末１の移動径路１１上に配置されている。
【００１５】
交換機３は、無線基地局２１、２２、２３と移動端末１との接続を制御し、移動端末１と通信相手先との接続制御を行うものである。
【００１６】
交換機３には、前述の通信リソース予約装置３０の他に、接続制御部３１、記憶装置３２が備えられている。通信リソース予約装置３０は、移動端末１の現在地から目的地までの移動径路１１上に存在する通信リソースについて予約するものである。接続制御部３１は、呼接続処理を実行し、移動端末１と各無線基地局２１、２２、２３、…を介した通信相手先との接続を制御するものであり、記憶装置３２は、通信リソースを予約捕捉した移動端末１をユニークに特定可能な端末ＩＤを記憶するとともに、通信リソース予約装置３０にて予約捕捉された通信リソースを記憶するものである。
【００１７】
また、通信リソース予約装置３０には、移動径路検索部３０１と通信セル構成データ部３０２とが少なくとも含まれている。移動径路検索部３０１は、任意に指定された２地点間の移動径路を検索するもので、移動端末１から発呼時に通知されてくる位置情報通知信号に含まれる現在地と目的地との間の移動径路１１を検索するものであり、通信セル構成データ部３０２には、各無線基地局２１、２２、２３、…の通信セル２１１、２２１、２３１、…の配置構成を示すデータが格納されている。
【００１８】
図１の通信リソース予約システム１００において、移動端末１を使用する発信者が発呼する際に、まず、移動端末１に対して目的地を入力して発呼操作をすると、移動端末１は、発呼処理と同時に、ＧＰＳ機能を利用して、現在地の位置情報を抽出し、発呼信号を交換機３に送信した後に、当該移動端末１の現在地と目的地との位置情報を、位置情報通知信号として、現在位置している無線基地局２１を介して交換機３に通知する。
【００１９】
交換機３は、接続制御部３１で発呼を受け付けて、通信相手先との接続を行うと同時に、通信リソース予約装置３０に、移動端末１から通知されてきた現在地と目的地とを示す位置情報通知信号を引き継ぎ、現在地から目的地に移動する移動径路１１上に存在する通信セル２１１、２２１、２３１の無線基地局２１、２２、２３の通信リソースを予約捕捉し、さらに、交換機３内の通信リソースの予約捕捉結果とともに、移動端末１の端末ＩＤを、記憶装置３２に記憶する。移動端末１が、通信セル２１１から通信セル２２１へ、さらに通信セル２３１へ移動する都度、交換機３の接続制御部３１は、無線基地局２２、２３の予約捕捉通信リソースを移動端末１に割り当てる指示をするとともに、記憶装置３２に記憶されている交換機３内の予約捕捉通信リソースを読み出して移動端末１に割り当てて、通信状態に切り替えていく。
【００２０】
［実施例の動作の説明］
次に、図２〜図７を用いて、図１に示す通信リソース予約システム１００の動作についてさらに詳細に説明する。まず、図２のシーケンスチャートと図３、４のフローチャートを用いて発呼から通話接続に至るまでの流れを説明する。図２は、移動端末１が無線基地局２１の通信セル２１１にて発呼して通話状態に至るまでのシーケンスの一例を示すシーケンスチャートであり、発呼信号を送信した後に、位置情報通知信号を送信する場合を示している。図３は、移動端末１が無線基地局２１の通信セル２１１にて発呼して目的地と現在地とに関する位置情報を交換機に通知するまでの移動端末１の動作を示すフローチャートであり、図４は、移動端末１からの発呼を受け付けて通信リソースの予約捕捉を完了するまでの交換機３の動作を示すフローチャートである。図２のシーケンスチャートに付した符号Ａ１、Ａ２、Ａ３、Ａ４、…と図３、図４のフローチャートそれぞれに付したＡ１、Ａ２、Ａ３、Ａ４、…とは対応している。
【００２１】
まず、図２のシーケンスチャートおよび図３のフローチャートにおいて、発信者は、発呼操作に際し、ＧＰＳ機能を有する移動端末１に対して、移動先となる目的地を登録する(ステップＡ１)。次に、移動端末１は、ＧＰＳ機能により当該移動端末１の現在地を検索し、現在地の位置情報と目的地の位置情報とを取得する(ステップＡ２)。次いで、無線基地局２１を介して交換機３に対して、発呼（発信）信号を送信した後に、現在地の位置情報と目的地の位置情報とを通知するための位置情報通知信号を送信する(ステップＡ３)。移動端末１の発呼動作は、以上で終了する。
【００２２】
次に、図２のシーケンスチャートおよび図４のフローチャートにおいて、交換機３は、無線基地局２１を介して移動端末１からの発呼（発信）信号と位置情報通知信号とを順次受信すると、まず、接続制御部３１が起動されて、発呼処理を行い、移動端末１の通信リソースを確保して通信状態に設定するとともに、移動端末１をユニークに特定可能な端末ＩＤを位置情報通知信号を受信した移動端末として、記憶装置３２に記録する(ステップＡ４)。
【００２３】
なお、移動端末１が現在位置している通信セル２１１に該当する無線基地局２１に対しても、交換機３の接続制御部３１は、発呼（発信）信号を受け取った時点で、通常の接続制御と同様に、当該交換機３内の通信リソースとともに、通信状態に設定することによって、移動端末１は、通信先との通話が可能な状態に切り替わっている。
【００２４】
さらに、交換機３は、受け取った移動端末１の現在地と目的地の位置情報を通信リソース予約装置３０の移動径路検索部３０１に引き渡す。移動径路検索部３０１は、通知されてきた現在地の位置情報と目的地の位置情報とに基づいて、２点間の移動径路１１を予測する(ステップＡ５)。
【００２５】
さらに、予測された移動径路１１を基に、通信セル構成データ部３０２にアクセスして、移動径路１１上に位置する通信セル２１１、２２１、２３１を有する無線基地局２１、２２、２３を検索する(ステップＡ６)。移動径路検索部３０１は、検索結果として、移動径路１１上に複数の通信セルが存在しているか否かを調べ、複数の通信セルが存在していた場合（本実施例では、通信セル２１１、２２１、２３１と３つの通信セルが存在している）、交換機３の接続制御部３１と、現在地に該当する通信セル２１１以外の通信セル２２１、２３１を有する無線基地局２２、２３とに対して、通信リソースの予約捕捉を指示して、移動端末１に割り当てるための予約捕捉状態に設定する(ステップＡ７)。
【００２６】
これにより、交換機３の接続制御部３１は、別の移動端末の通信接続処理が発生した場合には、この予約捕捉された通信リソースを別の移動端末に割り当てることを排他し、他の空き通信リソースを検索するという通常の接続制御を行う。この結果、当該移動端末１に対して、優先的に通信リソースを割り当てることが可能になる。
【００２７】
次に、図５のシーケンスチャートと図６のフローチャートを用いて通話中に通信セルを切り替える場合について説明する。図５は、移動端末１が無線基地局２１の通信セル２１１から移動径路１１上の次の無線基地局２２の通信セル２２１に移動して、予約捕捉済みの通信リソースに切り替えるシーケンスを示すシーケンスチャートである。図６は、移動端末１が無線基地局２１の通信セル２１１から移動径路１１上の次の無線基地局２２の通信セル２２１に移動して、予約捕捉済みの通信リソースに切り替える動作を示すフローチャートである。図５のシーケンスチャートに付した符号Ｂ１、Ｂ２と図６のフローチャートに付したＢ１、Ｂ２とは対応している。
【００２８】
移動端末１が、現在通信中の例えば無線基地局２１の通信セル２１１のエリアから移動径路１１上の次の通信セル２２１のエリアに移動した場合 (ステップＢ１)、移動端末１からハンドオーバ実行要求が無線基地局２１を介して交換機３に送信される。交換機３は、ハンドオーバ実行要求元の移動端末１の端末ＩＤが記憶装置３２に登録されているか否かを調べて、登録されていなければ、予約捕捉された通信リソースを排他した状態で、通常のハンドオーバ処理を実行して、該当する無線基地局２２の空き通信リソースを新たに検索する処理を行うことになる。一方、端末ＩＤが記憶装置３２に登録されていた場合は、移動径路１１上の通信リソースは、前述のように、通信リソース予約装置３０により予約捕捉済みの移動端末１に該当しているので、無線基地局２２に対して予約補足された通信リソースを移動端末１に割り当てて、該通信リソースを通信状態に切り替えるように指示する。
【００２９】
この結果、無線基地局２２は、予約捕捉済みの通信リソースを割り当てて、通信状態に切り替える(ステップＢ２)。さらに、交換機３内の通信リソースも同様に予約捕捉していたものに切り替える。これにより、通話中の状態にある移動端末１は、通信セル２１１から次の通信セル２２１へと通信セルを跨いで移動する場合であっても、通話が途絶してしまうことなく、優先的に且つ確実に、次の通信セル２２１に該当する無線基地局２２の通信リソースを用いて通話を継続することができる。
【００３０】
［効果の説明］
以上に詳細に説明したように、本発明の実施例においては、移動径路１１上に存在する通信セルに該当する無線基地局の通信リソースを、発呼時に、前もって予約することができるので、複数の通信セルを跨って移動するような場合であっても、通話を途絶されることなく、優先的に且つ確実に、無線通信を継続することができる。
【００３１】
また、通信セル間を移動する際にも、前もって予約捕捉した通信リソースを割り当てて通信状態に切り替える処理のみで済むので、通常のハンドオーバ動作のように、新たに通信リソースの検索処理を行う必要はなく、捕捉処理が簡略化されるとともに、迅速に通信状態の切替を実行することができる。
【００３２】
［他の実施例］
次に、本発明の他の実施例について、図１のシステム構成図、図７のシーケンスチャートを用いて説明する。ここに、図７は、移動端末が或る無線基地局の通信セルにて発呼して通話状態に至るまでのシーケンスの図２とは異なる例を示すシーケンスチャートであり、移動端末１から発呼（発信）信号と位置情報通知信号とを送信する時点が図２の場合とは異なっており、先に、位置情報通知信号を送信して、あらかじめ、現在地も含め、移動径路１１上にある無線基地局２１、２２、２３の通信リソースの予約捕捉処理を実行した後で、発呼（発信）信号を交換機３へ送信する例を示している。
【００３３】
図７において、発信者は、ＧＰＳ機能を有する移動端末１に対して目的地を登録する(ステップＣ１)。移動端末１は、目的地が登録されると、発呼（発信）に先立って、現在地を検索して、現在地と目的地との位置情報を取得し(ステップＣ２)、位置情報通知信号として交換機３に通知する(ステップＣ３)。交換機３は、位置情報通知信号を受信した移動端末１の端末ＩＤを、通信リソースを予約捕捉すべき移動端末として記憶装置３２に記録する(ステップＣ４)。次いで、通信リソース予約装置３０の移動径路検索部３０１にて移動径路１１を予測し(ステップＣ５)、通信セル構成データ部３０２により移動径路１１上に位置する通信セル２１１、２２１、２３１を有する無線基地局２１、２２、２３を検索する(ステップＣ６)。次いで、交換機３自身の通信リソースの予約捕捉とともに、移動端末１の現在位置の通信セル２１１を含む移動径路１１上の無線基地局２１、２２、２３に対して、移動端末１への通信リソースの予約捕捉を実行する(ステップＣ７)。
【００３４】
しかる後、交換機３は、移動端末１からの発呼（発信）信号を受け付け、移動端末１の現在地に存在する通信セル２１１の無線基地局２１において、予約捕捉されていた通信リソースを当該移動端末１に割り当てて、通信状態に切り替え、発呼接続処理を実行する(ステップＣ８)。これによって、移動端末１は、通信先との通話状態に移行する。その後の通信セル間の移動に伴うハンドオーバ処理については、図５のシーケンスチャート、図６のフローチャートと全く同様に、予約捕捉した通信リソースを優先的に割り当てる処理が実行される。
【００３５】
なお、前述の各実施例においては、移動端末１から交換機３に対して、位置情報通知信号を、発信信号（発呼信号）の直後や直前に、発信信号（発呼信号）とは別個に送信する場合を示しているが、発信信号（発呼信号）と同時に、さらに言えば、発信信号（発呼信号）に含ませて送信するようにしても良い。
【００３６】
以上のように、移動端末の発呼（発信）の際に、前もって、通信リソースの予約捕捉を実施することによって、通信セル間の移動時におけるハンドオーバ実行要求においても新たに空き通信リソースの検索を行なう必要はなく、優先的に且つ確実に通信リソースを確保することが可能となる。
【００３７】
以上、本発明の好適実施例の構成を説明した。しかし、斯かる実施例は、本発明の単なる例示に過ぎず、何ら本発明を限定するものではないことに留意されたい。本発明の要旨を逸脱することなく、特定用途に応じて種々の変形変更が可能であることは、当業者には容易に理解できよう。
【図面の簡単な説明】
【００３８】
【図１】本発明の通信リソース予約システムのシステム構成の一例を示すシステム構成図である。
【図２】移動端末が或る無線基地局の通信セルにて発呼して通話状態に至るまでのシーケンスの一例を示すシーケンスチャートである。
【図３】移動端末が或る無線基地局の通信セルにて発呼して目的地と現在地とに関する位置情報を交換機に通知するまでの移動端末の動作を示すフローチャートである。
【図４】移動端末からの発呼を受け付けて通信リソースの予約捕捉を完了するまでの交換機の動作を示すフローチャートである。
【図５】移動端末が或る無線基地局の通信セルから移動径路上の次の無線基地局の通信セルに移動して、予約捕捉済みの通信リソースに切り替えるシーケンスを示すシーケンスチャートである。
【図６】移動端末が或る無線基地局の通信セルから移動径路上の次の無線基地局の通信セルに移動して、予約捕捉済みの通信リソースに切り替える動作を示すフローチャートである。
【図７】移動端末が或る無線基地局の通信セルにて発呼して通話状態に至るまでのシーケンスの図２とは異なる例を示すシーケンスチャートである。
【符号の説明】
【００３９】
１          移動端末
３          交換機
１１        移動径路
２１、２２、２３    無線基地局
３０        通信リソース予約装置
３１        接続制御部
３２        記憶装置
１００      通信リソース予約システム
２１１、２２１、２３１    通信セル（通信エリア）
３０１      移動径路検索部
３０２      通信セル構成データ部
【図１】
2007251644.tif 000003
【図２】
2007251644.tif 000004
【図３】
2007251644.tif 000005
【図４】
2007251644.tif 000006
【図５】
2007251644.tif 000007
【図６】
2007251644.tif 000008
【図７】
2007251644.tif 000009